(57)【要約】【課題】蓋部を開いた際の慣性力に起因して落下し破損してしまうといった事故を未然に防止できるようにした、携帯電話を提供する。【解決手段】機器本体２と、機器本体２に開閉可能に連結された蓋部４とを備えた、折り畳み式の携帯電話１である。機器本体２には、回動軸３を保持する本体側保持部５が設けられている。蓋部４には、本体側保持部５と異なる位置において回動軸３を保持する蓋側保持部６が設けられている。機器本体２における蓋側保持部６に対応する位置には、蓋部４が閉じた状態から開く際に蓋部４の蓋側保持部６に摺接して蓋側保持部６との間に摩擦力を発生させ、蓋部４が全開した際に蓋側保持部６または蓋部４に当接して蓋部４の開き動作に伴う慣性力を緩和する緩衝材８が配設されている。緩衝材８は、蓋部４に当接する当接部がエラストマー又は軟質ゴムからなり、その内部に空気が充填されている。【選択図】図２
0003133323.tif 000002
【実用新案登録請求の範囲】
【請求項１】
機器本体と、該機器本体に回動軸を介して開閉可能に連結された蓋部とを備えてなる、折り畳み式の携帯電話において、
前記機器本体には、前記回動軸を保持する本体側保持部が設けられ、
前記蓋部には、前記本体側保持部と異なる位置において前記回動軸を保持する蓋側保持部が設けられ、
前記機器本体における前記蓋側保持部に対応する位置には、前記蓋部が閉じた状態から開く際に該蓋部の前記蓋側保持部に摺接して該蓋側保持部との間に摩擦力を発生させ、前記蓋部が全開した際に前記蓋側保持部または蓋部に当接して前記蓋部の開き動作に伴う慣性力を緩和する緩衝材が、配設されてなり、
前記緩衝材は、前記蓋部に当接する当接部がエラストマー又は軟質ゴムからなり、その内部に空気が充填されていることを特徴とする携帯電話。
【請求項２】
前記本体側保持部は、所定の間隔をあけて一対設けられ、
前記蓋側保持部は、前記一対の本体側保持部の間に設けられていることを特徴とする請求項１記載の携帯電話。
【請求項３】
前記緩衝材は、前記蓋部に当接する当接部材と、該当接部材の裏面側に配設された固定部材とからなり、
前記当接部材には、その表面側に前記蓋部に当接する当接部となる突出部が弾性変形可能に形成され、裏面側に空気を充填する凹部が形成され、
前記固定部材は、前記当接部材の裏面側に密着して前記凹部を覆うとともに、該当接部材の前記凹部内に連通して空気を出入りさせるための貫通孔を有していることを特徴とする請求項１又は２に記載の携帯電話。
【請求項４】
前記貫通孔はピンホール状の小さい孔であることを特徴とする請求項３記載の携帯電話。
【考案の詳細な説明】
【技術分野】
【０００１】
本考案は、折り畳み式の携帯電話に関する。
【背景技術】
【０００２】
従来、携帯電話として、機器本体と、該機器本体に回動軸を介して開閉可能に連結された蓋部とを備えてなる、折り畳み式のものが知られている。このような携帯電話では、蓋部を開き、機器本体に設けられた各種キーを操作することにより、電話として機能させることができ、さらには、蓋部に設けられた表示画面に各種の表示をなさせることもできるようになっている。
【０００３】
このような折り畳み式の携帯電話では、使用時に閉じた（折り畳まれた）状態から開く必要があるが、このような開くための動作としては、手で蓋部を持って直接行うか、あるいは機器本体の側面部に設けられた開きボタンを押し、自動的に開かせることで行うのが普通である。
【考案の開示】
【考案が解決しようとする課題】
【０００４】
ところで、受信したときなど急いで蓋部を開いた場合に、例えば手で急激に蓋部を開くことにより、開ききった位置（全開位置）において蓋部の開き動作に伴う慣性力が、機器本体側に衝撃となって伝わってしまうことがある。また、開きボタンによって自動的に開かせた場合にも、開き動作をなさせるためのバネ等による付勢力が強いと、やはり機器本体側に大きな衝撃が伝わってしまうことがある。
【０００５】
このようにして衝撃が機器本体に伝わると、この機器本体を持つ手の力が十分に強ければ問題はないが、前記の衝撃を予想せず、機器本体を軽く掴んだだけの状態であると、衝撃力に負けて機器本体を手から落とし、携帯電話を落下・破損してしまうおそれがある。
【０００６】
本考案は前記事情に鑑みてなされたもので、その目的とするところは、蓋部を開いた際の慣性力に起因して落下し破損してしまうといった事故を未然に防止できるようにした、携帯電話を提供することにある。
【課題を解決するための手段】
【０００７】
前記目的を達成するための本考案の携帯電話は、機器本体と、該機器本体に回動軸を介して開閉可能に連結された蓋部とを備えてなる、折り畳み式の携帯電話において、
前記機器本体には、前記回動軸を保持する本体側保持部が設けられ、
前記蓋部には、前記本体側保持部と異なる位置において前記回動軸を保持する蓋側保持部が設けられ、
前記機器本体における前記蓋側保持部に対応する位置には、前記蓋部が閉じた状態から開く際に該蓋部の前記蓋側保持部に摺接して該蓋側保持部との間に摩擦力を発生させ、前記蓋部が全開した際に前記蓋側保持部または蓋部に当接して前記蓋部の開き動作に伴う慣性力を緩和する緩衝材が、配設されてなり、
前記緩衝材は、前記蓋部に当接する当接部がエラストマー又は軟質ゴムからなり、その内部に空気が充填されていることを特徴としている。
【０００８】
この携帯電話によれば、蓋側保持部に対応する位置に緩衝材を配設したので、蓋部を開いた際、その開き動作中においては該蓋部の前記蓋側保持部に緩衝材を摺接させることにより、該蓋側保持部と緩衝材との間に摩擦力を発生させ、蓋部が開くスピートを抑えることができる。また、蓋部が全開した際には、蓋側保持部または蓋部に当接して蓋部の開き動作に伴う慣性力を緩和するので、この慣性力による機器本体側への衝撃を緩和することができる。
【０００９】
また、緩衝材の当接部が、比較的摩擦係数が大きいエラストマー又は軟質ゴムからなっているので、蓋側保持部に対して緩衝材を摺接させた際、該蓋側保持部と緩衝材との間により大きな摩擦力を発生させることができる。また、蓋部が全開した際の慣性力による衝撃も、エラストマー又は軟質ゴムによるクッション効果（弾性変形効果）によってこれをより良好に緩和することができる。
さらに、緩衝材の内部に空気が充填されているので、前記のクッション効果をより大きくすることができる。
【００１０】
また、前記携帯電話においては、前記本体側保持部が、所定の間隔をあけて一対設けられ、前記蓋側保持部が、前記一対の本体側保持部の間に設けられているのが好ましい。
このようにすれば、緩衝材が一対の本体側保持部の間に隠れることにより、外側に露出する度合いが少なく、その分外観意匠性に有利となる。
【００１１】
また、前記携帯電話においては、前記緩衝材は、前記蓋部に当接する当接部材と、該当接部材の裏面側に配設された固定部材とからなり、前記当接部材には、その表面側に前記蓋部に当接する当接部となる突出部が弾性変形可能に形成され、裏面側に空気を充填する凹部が形成され、前記固定部材は、前記当接部材の裏面側に密着して前記凹部を覆うとともに、該当接部材の前記凹部内に連通して空気を出入りさせるための貫通孔を有しているのが好ましい。
【００１２】
緩衝材の当接部材の空気を充填する凹部内に、空気を出入りさせるための貫通孔を連通させているので、蓋部が全開してその慣性力により緩衝材に衝撃が生じた際、この衝撃によって前記凹部内の空気を貫通孔から排出させることにより、緩衝材による前記のクッション効果をより大きくすることができる。また、このように空気を貫通孔から排出させることにより、前記の衝撃を吸収して前記蓋部に対する反発力を小さくすることができる。よって、蓋部が、全開した際の慣性力による衝撃に対する反発力により、再度閉じる方向に戻ってしまうといったことも防止される。
【００１３】
また、前記貫通孔については、ピンホール状の小さい孔であるのが好ましい。
このようにすれば、前記の衝撃によって前記凹部内の空気が貫通孔から排出する際の速度が遅くなり、したがって、前記のクッション効果をより大きくすることができる。
【考案の効果】
【００１４】
本考案の携帯電話によれば、前述したように緩衝材によって蓋部が開くスピートを抑えることができ、また、蓋部の開き動作に伴う慣性力による機器本体側への衝撃を緩衝材によって緩和することができるので、蓋部を開いた際の慣性力に起因して、持っていた手から落下し破損してしまうといった事故を未然に防止することができる。
【考案を実施するための最良の形態】
【００１５】
以下、本考案を詳しく説明する。
図１は、本考案の携帯電話の一実施形態を示す図であり、図１中符号１は携帯電話である。この携帯電話１は、機器本体２と、該機器本体２に回動軸３を介して開閉可能に連結された蓋部４と、を備えた折り畳み式のものである。
【００１６】
機器本体２には、その内面側に、例えばダイヤルや受信等の操作を行うための各種キー（図示せず）や、通話するためのマイク用の音孔（図示せず）が設けられている。また、その上端側には、送受信用のアンテナ（図示せず）が出没可能に設けられている。
さらに、この機器本体２には、図２に示すようにその内面側の上端部に、前記回動軸３を保持する一対の本体側保持部５が一体に形成されている。これら一対の本体側保持部５、５は、所定の間隔をあけて、前記回動軸３の両端部を保持した状態に形成されたものである。
【００１７】
蓋部４には、その内面側に、液晶による表示画面（図示せず）やスピーカ用の音孔（図示せず）が設けられている。また、この蓋部４には、図２に示すようにその上端部に、前記回動軸３を保持する蓋側保持部６が一体に形成されている。この蓋側保持部６は、前記一対の本体側保持部５、５の間に配設されたものである。なお、回動軸３は、一対の本体側保持部５、５、蓋側保持部６のうちの一方に保持固定され、他方に回動可能に保持されたものである。
【００１８】
このような構成のもとに蓋部４は、回動軸３を介して機器本体２に回動可能に保持され、すなわち開閉可能に取り付けられたものとなっている。また、蓋部４は、これが機器本体２に対して所定角度に開いた際、該蓋部４自体またはその蓋側保持部６が機器本体２に当接し、それ以上の回動が不能となるように形成されている。すなわち、前記の所定角度に開いた際、蓋部４は全開した状態となるようになっているのである。
【００１９】
また、前記機器本体２には、前記蓋側保持部６に対応する位置、すなわち一対の本体側保持部５、５の間に、図３（ａ）に示すように機器本体２の表面（上面）から裏面（底面）にまで貫通する孔部７が形成されている。孔部７は、開口形状が円形のもので、内径が相対的に小さな小径孔７ａを機器本体２の表面側に有し、内径が相対的に大きな大径孔７ｂを機器本体２の裏面側に有したものであり、これらが連続して形成されたものである。なお、本実施形態では、孔部７は図２に示したように本体側保持部５、５の間に二つ形成されている。
【００２０】
これら孔部７内には、図３（ａ）に示したようにそれぞれ緩衝材８が設けられている。緩衝材８は、本実施形態では前記蓋部４に当接する当接部材９と、該当接部材９の裏面側に配設された固定部材１０とからなっている。
当接部材９は、図３（ｂ）に示すように本考案における当接部となる半球形状の突出部９ａと、この突出部９ａの周縁部に設けられた鍔部９ｂとからなるもので、図３（ａ）に示したように前記突出部９ａの裏側に凹部９ｃを形成したものである。この凹部９ｃには、その内部に空気が出入り可能に充填されるようになっている。
【００２１】
また、この当接部材９は、突出部９ａを前記孔部７の小径部７ａ内に挿通させてその上部を孔部７から突出させ、さらに鍔部９ｂを前記孔部７の大径部７ｂ内に嵌合して小径部７ａと大径部７ｂとの間の段差部に係合させたものである。また、この当接部材９は、弾性変形可能なエラストマー又は軟質ゴムからなるもので、摩擦係数が大きく、弾性変形および弾性復帰力によるクッション性を有したものである。このような当接部材９の形成材料としては、本実施形態では特にシリコンゴムが好適に用いられている。
【００２２】
固定部材１０は、図３（ａ）に示したように孔部７の大径部７ｂ内に嵌合させられ、これによって前記当接部材９の裏面側に密着して前記凹部９ｃを覆ったもので、図３（ｂ）に示すように円柱状（円盤状）のものである。このような固定部材１０の形成材料としては、樹脂やゴム、さらに金属やセラミックスなど種々のものが使用可能であるが、本実施形態では硬質の樹脂が用いられている。この固定部材１０には、前記当接部材９の凹部９ｃ内に連通し、機器本体２の外部に開口する貫通孔１１が形成されている。この貫通孔１１は、ピンホール状の小さい孔からなるもので、前記凹部９ｃ内の空気を出入りさせるための通気孔となっている。
【００２３】
また、この固定部材１０は、前記大径部７ｂの側壁面にも密着してこの側壁面に接着され、あるいは溶着されており、これによって大径部７ｂ内に気密に保持固定されたものとなっている。なお、この固定部材１０と前記当接部材９との間の密着面についても、必要に応じて接着あるいは溶着がなされている。このような構成により、当接部材９は固定部材１０によって孔部７内に保持固定され、したがって当接部材９と固定部材１０とからなる緩衝材８は、孔部７内に保持固定されたものとなっている。
【００２４】
ここで、この緩衝材８は、前記蓋部４が閉じた状態において、その当接部材９の突出部９ａの、前記孔部７から外側に突出した部分（当接部）が、前記蓋側保持部６に接した状態に設けられている。したがって、蓋側保持部６は、蓋部４が閉じた状態から開く際、常に緩衝材８に接した状態となるようになっている。すなわち、蓋部４が閉じた状態から開く際には、緩衝材８はその突出部９ａが蓋側保持部６に相対的に摺接し、さらに蓋部４が全開した際には、その突出部９ａが前記蓋側保持部６または蓋部４に当接するようになっている。
【００２５】
なお、本考案では、前記蓋部４が閉じた状態においては必ずしも当接部材９の突出部９ａが蓋側保持部６に接している必要はなく、僅かに離間していてもよい。ただし、その場合にも、蓋部４が閉じた状態から開く際には、突出部９ａが蓋側保持部６に相対的に摺接し、さらに蓋部４が全開した際には、その突出部９ａが前記蓋側保持部６または蓋部４に当接するように構成される。
【００２６】
このように、蓋部４が開閉可能（折り畳み可能）に構成されてなる携帯電話１は、非使用時においては蓋部４が閉じられた状態とされる。そして、使用時には、機器本体２の内面の各種キーを操作し、また蓋部４の内面の表示画面を見るため、図１中に矢印で示すように蓋部４を開く。
【００２７】
すると、前記したように機器本体２の前記蓋側保持部６に対応する位置には、該蓋側保持部６に接した状態に緩衝材８が設けられているので、蓋部４を開いた際、その開き動作中において、緩衝材８の突出部９ａが該蓋部４の前記蓋側保持部６に相対的に摺接することになる。したがって、緩衝材８は、摺接することによって蓋側保持部６との間に摩擦力を発生し、この摩擦力によって蓋部４が開くスピートを抑えるようになる。
【００２８】
また、蓋部４が機器本体２に対して所定角度開き、全開した際には、図１中二点鎖線で示すように蓋部４またはその蓋側保持部６が緩衝材８の突出部９ａに当接し、これによって蓋部４の開き動作に伴う慣性力が緩和される。すなわち、緩衝材８の突出部９ａの材質によるクッション効果（弾性変形効果）、さらには、突出部９ａの裏面側の凹部９ｃ内に空気が充填されていることによるクッション効果が発揮されることにより、蓋部４はその慣性力が緩和され、この慣性力による機器本体２側への衝撃が緩和される。
【００２９】
また、緩衝材８には凹部９ｃ内の空気を出入りさせるための貫通孔１１が形成されているので、蓋部４が全開した際の衝撃によって前記凹部９ｃ内の空気が貫通孔１１から抜ける（排出する）ことにより、前記のクッション効果がより大きくなって前記の衝撃が吸収されるようになる。したがって、緩衝材８は前記蓋部４に対する反発力を小さくすることができ、これにより、蓋部４が全開した際の慣性力による衝撃によって緩衝材８が反発力（応力）を発揮し、蓋部４を再度閉じる方向に戻してしまうといったことも防止される。
また、前記貫通孔１１がピンホール状の小さい孔となっているので、前記の衝撃によって前記凹部９ｃ内の空気が貫通孔１１から排出する際の速度が十分に遅くなり、これにより、前記のクッション効果がより良好に確保される。
【００３０】
したがって、この携帯電話１にあっては、緩衝材８によって蓋部４が開くスピートを抑えることができ、また、蓋部４の開き動作に伴う慣性力による機器本体２側への衝撃を緩衝材８によって緩和することができるので、蓋部４を開いた際の慣性力に起因して、持っていた手から落下し破損してしまうといった事故を未然に防止することができる。
また、緩衝材８の反発力（応力）によって蓋部４が再度閉じる方向に戻ってしまうといったことも防止することができる。
【００３１】
なお、本考案は前記実施形態に限定されることなく、本考案の要旨を逸脱しない範囲で種々の変更が可能である。例えば、前記実施形態では緩衝材８を当接部材９と固定部材１０とから構成したが、これらを一体に成形した緩衝材を用いてもよく、あるいは、３つ以上のピースから構成した緩衝材を用いてよい。
また、この緩衝材８を孔部７に対して固定することなく、孔部７内に着脱可能に保持させるようにしてもよい。
【００３２】
また、前記実施形態では、凹部９ｃ内に連通して空気を出入りさせるための貫通孔１１を緩衝材８に形成したが、貫通孔１１を形成することなく、したがって凹部９ｃ内に空気を封入しておいてもよい。
さらに、前記実施形態では緩衝材８を二カ所に設けたが、一カ所でもよく、三カ所以上に設けてもよい。
【００３３】
また、前記実施形態では、本体側保持部５を一対設け、これら本体側保持部５、５間に蓋側保持部６が位置するように形成したが、蓋側保持部を一対設け、これら蓋側保持部間に本体側保持部を設けるようにしてもよい。その場合、緩衝材については、蓋側保持部にそれぞれ対応させるべく、該緩衝材も一対用い、これらを蓋側保持部にそれぞれ対応させて配設するのが好ましい。
【図面の簡単な説明】
【００３４】
【図１】本考案の携帯電話の一実施形態の概略構成を示す側面図である。
【図２】図１に示した携帯電話の要部斜視図である。
【図３】（ａ）、（ｂ）は緩衝材とその配置状態を説明するための図であり、（ａ）は要部側断面図、（ｂ）は分解斜視図である。
【符号の説明】
【００３５】
１…携帯電話、２…機器本体、３…回動軸、４…蓋部、５…本体側保持部、６…蓋側保持部、７…孔部、８…緩衝材、９…当接部材、９ａ…突出部（当接部）、９ｃ…凹部、１０…固定部材、１１…貫通孔
【図１】
0003133323.tif 000003
【図２】
0003133323.tif 000004
【図３】
0003133323.tif 000005